(57)【特許請求の範囲】
【請求項１】
操作ツマミが弾性部材を介し付勢して取り付けられ、操作ツマミの左右両側に設けられたスライド動作被案内片が案内されることによって施錠位置と解錠位置とでは操作ツマミを高位置に押し出す一方、施錠位置と解錠位置との間では操作ツマミを低位置に引き入れた状態でスライドさせるスライド部と、
操作ツマミを露出させた状態でスライドさせるためのツマミスライド用開口部と、操作ツマミのスライド動作および出入動作を案内するスライド動作案内部が設けられた案内機構部とを有し、
操作ツマミが施錠位置と解錠位置とにある場合は、操作ツマミのスライド動作被案内片が案内機構部のスライド動作案内部から外れて弾性部材によって操作ツマミを高位置に押し出す一方、操作ツマミが施錠位置と解錠位置との間をスライド動作する場合は、操作ツマミのスライド動作被案内片が案内機構部のスライド動作案内部に当接して操作ツマミを低位置に引き入れた状態で案内され、
スライド部には、連結部材を介してストッパ部が設けられ、そのストッパ部は、操作ツマミが施錠位置にある場合は、上枠または下枠に設けられたストッパ穴に挿入され、操作ツマミが解錠位置にある場合はそのストッパ穴から抜出される戸の施錠装置であって、
操作ツマミのスライド動作被案内片の上下には、それぞれ操作ツマミが施錠位置または解錠位置にある場合に操作ツマミの表面におけるツマミスライド用開口部の中央側が高くなるように傾斜して支持される施錠時傾斜被支持片および解錠時傾斜被支持片が設けられている一方、
案内機構部のスライド動作案内部の上下には、少なくとも操作ツマミのスライド動作被案内片におけるスライド方向の長さ以上離間した箇所に、操作ツマミが施錠位置と解錠位置とにある場合、操作ツマミの施錠時傾斜被支持片および解錠時傾斜被支持片に当接して、操作ツマミの表面におけるツマミスライド用開口部の中央側が高くなるように傾斜して支持する施錠時傾斜支持部および解錠時傾斜支持部が設けられていることを特徴とする戸の施錠装置。
【請求項２】
請求項１記載の戸の施錠装置において、
案内機構部の施錠時傾斜支持部および解錠時傾斜支持部は、それぞれ、操作ツマミがスライド動作中は操作ツマミを低位置に引き入れ、施錠位置および解錠位置では操作ツマミを高位置に押し出すように、操作ツマミを支持する傾斜案内面を有することを特徴とする戸の施錠装置。
【請求項３】
請求項１または請求項２記載の戸の施錠装置において、
操作ツマミのスライド動作方向の上下両側には、それぞれ、操作ツマミの表面におけるツマミスライド用開口部の中央側が高くなるように、操作ツマミが傾斜して支持される施錠時傾斜状態保持面と解錠時傾斜状態保持面とが設けられており、施錠時または解錠時には施錠時傾斜状態保持面または解錠時傾斜状態保持面がツマミスライド用開口部の上下周縁の裏面側に潜ることを特徴とする戸の施錠装置。
【請求項４】
請求項１〜請求項３のいずれか一の請求項に記載の戸の施錠装置において、
案内機構部には、操作ツマミが施錠位置または解錠位置のいずれか一方にあることを報知するための報知用開口部が設けられている一方、
スライド部には、操作ツマミが施錠位置または解錠位置の少なくともいずれか一方にあるときにその報知用開口部に来る箇所に、本施錠装置が施錠状態にあるか解錠状態にあるかを示すインジケータを設けることを特徴とする戸の施錠装置。
【請求項５】
請求項１〜請求項４のいずれか一の請求項に記載の戸の施錠装置は、複数枚の雨戸が１本の上枠と下枠との間で移動する複数枚の雨戸のうち、戸袋側の雨戸に設けられることを特徴とする戸の施錠装置。
【発明の詳細な説明】
【技術分野】
【０００１】
本発明は、雨戸等の戸の施錠装置に関する。
【背景技術】
【０００２】
従来の戸の施錠装置として、例えば、操作ツマミをスライド動作させることにより施解錠する施錠機構を戸の縦框の上部等に設けたものが提案されている（例えば、特許文献１参照。）。
【先行技術文献】
【特許文献】
【０００３】
【特許文献１】特開平１０−２９９３１５号公報
【発明の概要】
【発明が解決しようとする課題】
【０００４】
しかし、前述の特許文献１に記載された従来の戸の施錠装置では、その図２等に示すようにバネにより付勢された球体と係止孔とにより施錠用ロッドおよび操作ツマミを施錠位置と解錠位置に保持するため、操作ツマミに上下のスライド方向への外力が加われば、施錠用ロッドおよび操作ツマミが上下方向にスライドしてしまい、簡単に施錠状態または解錠状態が解除されてしまう等の課題がある。
【０００５】
そこで、本発明は、操作ツマミが施錠位置と解錠位置とにあるときに操作ツマミのスライド方向に外力が加わった場合でも簡単にその施錠状態または解錠状態が解除されることを防止できる戸の施錠装置を提供することを目的とする。
【課題を解決するための手段】
【０００６】
前記課題を解決するため、本発明の戸の施錠装置は、操作ツマミが弾性部材を介し付勢して取り付けられ、操作ツマミの左右両側に設けられたスライド動作被案内片が案内されることによって施錠位置と解錠位置とでは操作ツマミを高位置に押し出す一方、施錠位置と解錠位置との間では操作ツマミを低位置に引き入れた状態でスライドさせるスライド部と、操作ツマミを露出させた状態でスライドさせるためのツマミスライド用開口部と、操作ツマミのスライド動作および出入動作を案内するスライド動作案内部が設けられた案内機構部とを有し、操作ツマミが施錠位置と解錠位置とにある場合は、操作ツマミのスライド動作被案内片が案内機構部のスライド動作案内部から外れて弾性部材によって操作ツマミを高位置に押し出す一方、操作ツマミが施錠位置と解錠位置との間をスライド動作する場合は、操作ツマミのスライド動作被案内片が案内機構部のスライド動作案内部に当接して操作ツマミを低位置に引き入れた状態で案内され、スライド部には、連結部材を介してストッパ部が設けられ、そのストッパ部は、操作ツマミが施錠位置にある場合は、上枠または下枠に設けられたストッパ穴に挿入され、操作ツマミが解錠位置にある場合はそのストッパ穴から抜出される戸の施錠装置であって、操作ツマミのスライド動作被案内片の上下には、それぞれ操作ツマミが施錠位置または解錠位置にある場合に操作ツマミの表面におけるツマミスライド用開口部の中央側が高くなるように傾斜して支持される施錠時傾斜被支持片および解錠時傾斜被支持片が設けられている一方、案内機構部のスライド動作案内部の上下には、少なくとも操作ツマミのスライド動作被案内片におけるスライド方向の長さ以上離間した箇所に、操作ツマミが施錠位置と解錠位置とにある場合、操作ツマミの施錠時傾斜被支持片および解錠時傾斜被支持片に当接して、操作ツマミの表面におけるツマミスライド用開口部の中央側が高くなるように傾斜して支持する施錠時傾斜支持部および解錠時傾斜支持部が設けられていることを特徴とする
ここで、案内機構部の施錠時傾斜支持部および解錠時傾斜支持部は、それぞれ、操作ツマミがスライド動作中は操作ツマミを低位置に引き入れ、施錠装置および解錠位置では操作ツマミを高位置に押し出すように、操作ツマミを支持する傾斜案内面を有するようにすると良い。
また、操作ツマミのスライド動作方向の上下両側には、それぞれ、操作ツマミの表面におけるツマミスライド用開口部の中央側が高くなるように、操作ツマミが傾斜して支持される施錠時傾斜状態保持面と解錠時傾斜状態保持面とが設けられており、施錠時または解錠時には施錠時傾斜状態保持面または解錠時傾斜状態保持面がツマミスライド用開口部の上下周縁の裏面側に潜るようにすると良い。なお、その際、施錠時傾斜状態保持面または解錠時傾斜状態保持面がツマミスライド用開口部の上下周縁の裏面に当接しても勿論よい。
また、案内機構部には、操作ツマミが施錠位置または解錠位置のいずれか一方にあることを報知するための報知用開口部が設けられている一方、スライド部には、操作ツマミが施錠位置または解錠位置の少なくともいずれか一方にあるときにその報知用開口部に来る箇所に、本施錠装置が施錠状態にあるか解錠状態にあるかを示すインジケータを設けるようにすると良い。
また、上述の戸の施錠装置は、複数枚の雨戸が１本の上枠と下枠との間で移動する複数枚の雨戸のうち、戸袋側の雨戸に設けるようにすると良い。
【発明の効果】
【０００７】
本発明に係る戸の施錠装置は、操作ツマミが施錠位置と解錠位置とにある場合は、操作ツマミのスライド動作被案内片が案内機構部のスライド動作案内部から外れて、弾性部材によって操作ツマミが高位置に押し出されている一方、操作ツマミが施錠位置と解錠位置との間をスライド動作する場合は、操作ツマミのスライド動作被案内片が案内機構部のスライド動作案内部に当接して、操作ツマミは低位置に引き入れた状態にあるため、操作ツマミが施錠位置と解錠位置とにある場合は、弾性部材の付勢力に対抗して操作ツマミを低位置に引き入れた状態にしない限りスライド動作は不可能になる。そのため、操作ツマミが施錠位置と解錠位置とにあるときに操作ツマミのスライド方向に外力が加わった場合でも、簡単にその施錠状態または解錠状態が解除されることを防止できる。
また、本発明に係る戸の施錠装置では、操作ツマミのスライド動作被案内片の上下にそれぞれ操作ツマミが施錠位置または解錠位置にある場合に操作ツマミの表面におけるツマミスライド用開口部の中央側が高くなるように傾斜して支持される施錠時傾斜被支持片および解錠時傾斜被支持片が設けられており、案内機構部のスライド動作案内部の上下には、少なくとも操作ツマミのスライド動作被案内片におけるスライド方向の長さ以上離間した箇所に、操作ツマミが施錠位置と解錠位置とにある場合、操作ツマミの施錠時傾斜被支持片および解錠時傾斜被支持片に当接して、操作ツマミの表面におけるツマミスライド用開口部の中央側が高くなるように傾斜して支持する施錠時傾斜支持部および解錠時傾斜支持部が設けられている。
そのため、施錠時および解錠時には、操作ツマミの表面がツマミスライド用開口部の中央部側が高くなるように斜めに支持されるため、その施錠状態から解錠状態に移行する場合に、操作ツマミが傾斜せずに平行な状態にある場合よりも、ユーザの指が操作ツマミの表面に引っ掛かり易くなり、子供や高齢者などが使用する場合であっても使用勝手が向上したユニバーサルデザインな戸の施錠装置を提供することができる。
【図面の簡単な説明】
【０００８】
【図１】雨戸に本実施形態の戸の施錠装置が取り付けられた状態を示す正面図である。
【図２】本実施形態の戸の施錠装置の分解斜視図である。
【図３】（ａ）〜（ｄ）は、操作ツマミの構造を示す斜視図、正面図、側面図、背面図である。
【図４】（ａ）〜（ｄ）は、操作ツマミ支持部の構造を示す斜視図（表側）、斜視図（裏側）、正面図、側面図である。
【図５】（ａ）〜（ｃ）は、案内機構部の施解錠案内部の構造を示す正面図、Ａ−Ａ線断面図、背面図である。
【図６】（ａ）〜（ｃ）は、案内機構部の後側蓋部の構造を示す正面図、側面図、Ｂ−Ｂ線断面図である。案内機構部の後側蓋部の構造を示す図である。
【図７】（ａ），（ｂ）は、操作ツマミが施錠状態（ロック状態）にある場合の施錠装置の正面図、断面図である。
【図８】（ａ），（ｂ）は、操作ツマミがスライド状態（位置）にある場合の施錠装置１の正面図、断面図である。
【図９】（ａ），（ｂ）は、操作ツマミが解錠状態にある場合の施錠装置の正面図、断面図である。
【発明を実施するための形態】
【０００９】
以下、本発明に係る戸の施錠装置の実施形態を、添付図面を参照しながら詳細に説明する。
【００１０】
図１は、雨戸２に本実施形態の戸の施錠装置１を取り付けた状態を示す正面図である。
【００１１】
図１に示すように、本実施形態の施錠装置１は、例えば、１本の上枠３２と下枠３１との間で移動する複数枚の雨戸２，…のうち、戸袋３３側の雨戸２の召合せ框２１に設けられて、複数枚の雨戸２，…を施錠するもので、戸袋３３側の雨戸２の召合せ框２１に２箇所設けられ、上枠３２および下枠３１それぞれに設けられた上側ストッパ穴または下側ストッパ穴に入出して施解錠するものである。
【００１２】
具体的には、下枠３１に設けられたストッパ穴を使用して施錠する下枠３１用の施錠装置１は、その施錠装置１を構成する後述の操作ツマミ１１ａや案内機構部１２が、図１に示すように、雨戸２の召合せ框２１の上下方向のほぼ中間、すなわち横桟２６との接合部近傍に位置するように設ける。その一方、上枠３２に設けられたストッパ穴を使用して施錠する上枠３２用の施錠装置１は、その施錠装置１を構成する後述の操作ツマミ１１ａや案内機構部１２が、雨戸２の召合せ框２１の上下方向のほぼ中間に設けられた横桟２６と上框２５との間であって横桟２６に近い箇所に位置するように設けている。
【００１３】
このように、本実施形態では、施錠装置１を召合せ框２１の上下方向におけるほぼ中間の２箇所に設けたので、高齢者がしゃがまずに操作できると共に、身長の低い子供でも操作し易いユニバーサルデザインの施錠装置を提供できる。また、２つの施錠装置１，１は、１本の上枠３２と下枠３１との間で移動する複数枚の雨戸２，…のうち、戸袋３３側の雨戸２の召合せ框２１に設けられるため、この戸袋３３側の雨戸２の召合せ框２１に設けた２つの施錠装置１，１により、複数枚の雨戸２，…全体を一度に施錠することができ、この点でも使用勝手に優れ高齢化社会に配慮したユニバーサルデザインの施錠装置を提供できる。なお、ここでは、雨戸２は、上パネル２２および下パネル２３がそれぞれ、召合せ框２１と、召合せ框２１以外の縦框２４と、上框２５と、横桟２６と、下框２７とにより囲まれて構成されている。なお、施錠装置１の位置は本実施形態に限定されることなく、ユーザが操作し易い位置に設定することができる。
【００１４】
図２は、本実施形態の下枠３１用の施錠装置１の分解斜視図である。なお、上枠３２用の施錠装置１は、上下を逆さにしたものとなる。
【００１５】
図２に示すように、本実施形態の施錠装置１は、スライド部１１と、案内機構部１２とに分けられる。スライド部１１は、操作ツマミ１１ａと、弾性部材としてのスプリング１１ｂと、操作ツマミ支持部１１ｃと、アルミ押出形材等の連結部材１１ｄと、ストッパ支持部１１ｅと、ストッパ１１ｆとから構成されている。また、案内機構部１２は、施解錠案内部１２ａと、後側蓋部１２ｂと、上側蓋部１２ｃとから構成されている。
【００１６】
次に、スライド部１１を構成する操作ツマミ１１ａおよび操作ツマミ支持部１１ｃと、案内機構部１２を構成する施解錠案内部１２ａおよび後側蓋部１２ｂの構成について、詳細に説明する。
【００１７】
図３（ａ）〜（ｄ）は、操作ツマミ１１ａの構造を示す斜視図、正面図、側面図、背面図である。
【００１８】
図３（ａ）〜（ｄ）に示すように、操作ツマミ１１ａは、操作ツマミ本体１１ａ１と、操作ツマミ本体１１ａ１の左右両側にそれぞれ突出して設けられたスライド動作被案内片１１ａ２と、ユーザの指がかかるように突出して設けられた操作部１１ａ３と、操作ツマミ１１ａを付勢する弾性部材としてのスプリング１１ｂの先端が収まるスプリング収容部１１ａ４などが設けられている。
【００１９】
また、操作ツマミ１１ａが施錠状態にある場合に、操作ツマミ本体１１ａ１の表面におけるツマミスライド用開口部１２ａ１の中央部側が高くなるように、操作ツマミ本体１１ａ１の中央部側に近付くほど低くなるように傾斜した施錠時傾斜状態保持面１１ａ５を有すると共に、その施錠時傾斜状態保持面１１ａ５の両側に、施錠時に案内機構部１２の施錠時傾斜支持部１２ａ３に当接して操作ツマミ１１ａを操作ツマミ本体１１ａ１の表面におけるツマミスライド用開口部１２ａ１の中央部側が高くなるように斜めに支持する施錠時傾斜被支持片１１ａ６が設けられている。同様に、操作ツマミ１１ａが解錠状態にある場合に、操作ツマミ本体１１ａ１の表面におけるツマミスライド用開口部１２ａ１の中央部側が高くなるように、操作ツマミ本体１１ａ１の中央部側に近付くほど低くなるように傾斜した解錠時傾斜状態保持面１１ａ７を有すると共に、その解錠時傾斜状態保持面１１ａ７の両側に、解錠時に案内機構部１２の解錠時傾斜支持部１２ａ４に当接して操作ツマミ１１ａを操作ツマミ本体１１ａ１の表面におけるツマミスライド用開口部１２ａ１の中央部側が高くなるように斜めに支持する解錠時傾斜被支持片１１ａ８が設けられている。
【００２０】
また、操作ツマミ１１ａの左右両側に設けられている施錠時傾斜被支持片１１ａ６および解錠時傾斜被支持片１１ａ８は、図３（ｂ），（ｄ）に示すように、操作ツマミ１１ａの左右両側に設けられているスライド動作被案内片１１ａ２よりも左右方向への突出量を小さくしている。その理由については後述する。
【００２１】
図４（ａ）〜（ｄ）は、操作ツマミ支持部１１ｃの構造を示す斜視図（表側）、斜視図（裏側）、正面図、側面図である。
【００２２】
図４（ａ）〜（ｄ）に示すように、操作ツマミ支持部１１ｃは、操作ツマミ１１ａをスプリング１１ｂを介し表裏方向に出入自在に支持するもので、図４上、上部側にはスプリング１１ｂを支持するスプリング支持部１１ｃ１を有する一方、下部側に連結部材１１ｄに連結する連結部１１ｃ２を有する。また、操作ツマミ支持部１１ｃの裏面側には、その長手方向に延びる３本の突条部１１ｃ３が設けられており、スプリング１１ｂの付勢力によって３本の突条部１１ｃ３が案内機構部１２の後側蓋部１２ｂの表面に当るように構成されている。これにより、操作ツマミ支持部１１ｃの裏面全体が案内機構部１２の後側蓋部１２ｂの表面全体に当接しないので、操作ツマミ支持部１１ｃの円滑なスライド動作が可能となる。
【００２３】
また、この操作ツマミ支持部１１ｃの下端部には、さらに、操作ツマミ１１ａが施錠（ロック）状態になったときに、案内機構部１２の施解錠案内部１２ａに開設された後述する報知用開口部１２ａ５に存在する箇所に位置して、本施錠装置１が施錠（ロック）状態にあることを、例えば、緑色等の目立つ色により示すインジケータ１１ｃ４を設けている。これにより、本施錠装置１が施錠（ロック）状態にあることを容易に認識することができる。
【００２４】
図５（ａ）〜（ｃ）は、案内機構部１２の施解錠案内部１２ａの構造を示す正面図、Ａ−Ａ線断面図、背面図である。
【００２５】
図５に示すように、案内機構部１２の施解錠案内部１２ａは、操作ツマミ１１ａを露出状態でスライドさせるツマミスライド用開口部１２ａ１と、操作ツマミ１１ａの左右両側のスライド動作被案内片１１ａ２の上下方向のスライド動作と表裏方向の出入動作を案内するスライド動作案内部１２ａ２が設けられ、そのスライド動作案内部１２ａ２にしたがって操作ツマミ１１ａをスライド動作させて施錠状態と解錠状態とで停止させるものである。また、この案内機構部１２は、操作ツマミ１１ａが施錠位置と解錠位置とにある場合は、操作ツマミ１１ａに上下のスライド方向に外力が加わっても簡単に施解錠が解除することがないように、その施錠位置と解錠位置とにある場合は、操作ツマミ１１ａの左右両側のスライド動作被案内片１１ａ２がスライド動作案内部１２ａ２から外れて、スプリング１１ｂにより操作ツマミ１１ａの表面をツマミスライド用開口部１２ａ１よりも突出させた高位置状態に押し出すように構成されている。これに対し、操作ツマミ１１ａが施錠位置と解錠位置との間をスライド動作する場合は、操作ツマミ１１ａのスライド動作被案内片１１ａ２が案内機構部１２のスライド動作案内部１２ａ２に当接して案内され操作ツマミ１１ａを低位置に引き入れた状態でスライド動作するように構成されている。つまり、この案内機構部１２のスライド動作案内部１２ａ２は、操作ツマミ１１ａがスライド動作中は、操作ツマミ１１ａの左右両側のスライド動作被案内片１１ａ２に当接して操作ツマミ１１ａを低位置に引き入れた状態に移動させて、操作ツマミ１１ａの操作部１１ａ３の表面を本施錠装置１が設けられた召合せ框２１の表面とほぼ平行な状態で案内する。
【００２６】
また、案内機構部１２は、そのスライド動作案内部１２ａ２の両側に、少なくとも操作ツマミ１１ａのスライド動作被案内片１１ａ２のスライド動作方向の長さ以上の所定距離、離間した箇所に、操作ツマミ１１ａが施錠位置と解錠位置とにある場合、操作ツマミ１１ａの施錠時傾斜被支持片１１ａ６および解錠時傾斜被支持片１１ａ８に当接して、操作ツマミ１１ａを高位置状態で、かつ、操作ツマミ１１ａの表面におけるツマミスライド用開口部１２ａ１の中央側が高くなるように操作ツマミ１１ａを斜めに支持する施錠時傾斜支持部１２ａ３と解錠時傾斜支持部１２ａ４とが設けられている。
【００２７】
そして、この施錠時傾斜支持部１２ａ３および解錠時傾斜支持部１２ａ４は、それぞれ、操作ツマミ１１ａがスライド動作中は操作ツマミ１１ａを低位置に引き入れ、施錠位置および解錠位置では操作ツマミ１１ａを高位置に押し出すように、操作ツマミ１１ａの施錠時傾斜被支持片１１ａ６および解錠時傾斜被支持片１１ａ８を支持する傾斜案内面を有している。ただし、本発明では、施錠時傾斜支持部１２ａ３および解錠時傾斜支持部１２ａ４を設けることや、施錠時傾斜支持部１２ａ３および解錠時傾斜支持部１２ａ４が傾斜案内面を有することは任意であり、施錠時傾斜支持部１２ａ３および解錠時傾斜支持部１２ａ４を省略したり、平行な案内面を有していても勿論良い。なお、傾斜案内面の効果についは後述する。
【００２８】
また、案内機構部１２の左右両側に設けられている施錠時傾斜支持部１２ａ３および解錠時傾斜支持部１２ａ４は、図５（ａ），（ｃ）に示すように、案内機構部１２の左右両側に設けられているスライド動作案内部１２ａ２よりも内側への突出量を大きくしている。その理由については後述する。
【００２９】
なお、この施錠装置１では、操作ツマミ１１ａが施錠状態にある場合、スライド部１１の操作ツマミ支持部１１ｃの下端部に設けられたインジケータ１１ｃ４が位置する箇所に報知用開口部１２ａ５が形成されている。なお、図５（ｂ）における１２ａ６，１２ａ７は、それぞれ、後側蓋部１２ｂの掛止部１２ｂ１および掛止部１２ｂ２が掛止される被掛止孔および被掛止部である。
【００３０】
図６（ａ）〜（ｃ）は、案内機構部１２の後側蓋部１２ｂの構造を示す正面図、側面図、Ｂ−Ｂ線断面図である。
【００３１】
図６に示すように、案内機構部１２の後側蓋部１２ｂは、施解錠案内部１２ａとの間で操作ツマミ１１ａや操作ツマミ支持部１１ｃを上下方向にスライド可能な状態で取り付けるもので、施解錠案内部１２ａの被掛止孔１２ａ６や被掛止部１２ａ７に掛止する掛止部１２ｂ１および掛止部１２ｂ２を有している。また、後側蓋部１２ｂは、本施錠装置１を雨戸２の召合せ框２１に取り付けるためのネジ孔１２ｂ３も設けられている。なお、本施錠装置１を召合せ框２１にネジで取り付けた後（図省略）、案内機構部１２の上端に上側蓋部１２ｃを掛止する。
【００３２】
次に、本実施形態の施錠装置１の動作について、図面を参照して説明する。なお、以下の説明では、下枠３１に設けられたストッパ穴を使用して施錠する下枠３１用の施錠装置１の動作について説明する。
【００３３】
図７（ａ），（ｂ）は、操作ツマミ１１ａが施錠状態（ロック状態）にある場合の施錠装置１の正面図、断面図である。
【００３４】
図７（ａ），（ｂ）に示すように、操作ツマミ１１ａが施錠状態にある場合、すなわち図７（ａ），（ｂ）上、ツマミスライド用開口部１２ａ１の下側に位置する場合には、操作ツマミ支持部１１ｃ、連結部材１１ｄおよびストッパ支持部１１ｅの下側に取り付けられたストッパ１１ｆが、下枠３１に設けられたストッパ穴に挿入される。そのため、この施錠装置１が取り付けられた雨戸２は、下枠３１上を移動できず、施錠（ロック）される。なお、本実施形態では連結部材１１ｄとストッパ１１ｆを別部材としているが、連結部材１１ｄをステンレス等の強度が確保できる材質として、連結部材１１ｄの先端部にストッパ１１ｆを設けても（一体としても）よい。
【００３５】
ここで、上述したように、操作ツマミ１１ａの左右両側に設けられている施錠時傾斜被支持片１１ａ６および解錠時傾斜被支持片１１ａ８は、図３（ｂ），（ｄ）に示すように、左右両側に設けられているスライド動作被案内片１１ａ２よりも左右方向への突出量を小さくしている。その一方、案内機構部１２の左右両側に設けられている施錠時傾斜支持部１２ａ３および解錠時傾斜支持部１２ａ４は、図５（ａ），（ｃ）に示すように、左右両側に設けられているスライド動作案内部１２ａ２よりも内側への突出量を大きくしている。その結果、操作ツマミ１１ａの左右両側のスライド動作被案内片１１ａ２は、スライド動作時は、案内機構部１２の左右両側のスライド動作案内部１２ａ２のみに当接する。これに対し、操作ツマミ１１ａの左右両側に設けられている施錠時傾斜被支持片１１ａ６および解錠時傾斜被支持片１１ａ８は、操作ツマミ１１ａが高位置に突出した状態では、施錠時傾斜支持部１２ａ３および解錠時傾斜支持部１２ａ４の上下両端面に当接するものの、スライド動作案内部１２ａ２の間を通り抜けることができる。
【００３６】
そのため、この施錠状態の際は、図７（ａ），（ｂ）に示すように、操作ツマミ１１ａのスライド動作被案内片１１ａ２は、スライド動作案内部１２ａ２と施錠時傾斜支持部１２ａ３との間に位置してツマミスライド用開口部１２ａ１の周縁裏面に当接する。また、左右のスライド動作案内部１２ａ２の間を通り抜けた解錠時傾斜被支持片１１ａ８もツマミスライド用開口部１２ａ１の周縁裏面に当接する。これに対し、操作ツマミ１１ａの施錠時傾斜被支持片１１ａ６は、図７（ａ），（ｂ）に示すように、施解錠案内部１２ａの施錠時傾斜支持部１２ａ３に当接して支持および案内される。
【００３７】
その結果、操作ツマミ１１ａは、図７（ｂ）に示すように、施解錠案内部１２ａによってツマミスライド用開口部１２ａ１の中央部側、すなわち図上、上側が高くなるように斜めに支持される。この際、操作ツマミ１１ａの施錠時傾斜状態保持面１１ａ５がツマミスライド用開口部１２ａ１の下部周縁の裏面側に潜り込み、場合によっては、ツマミスライド用開口部１２ａ１の下部周縁の裏面に当接する。なお、本発明では、操作ツマミ１１ａに施錠時傾斜状態保持面１１ａ５を設けることは必須でないので、施錠時に操作ツマミ１１ａの施錠時傾斜状態保持面１１ａ５がツマミスライド用開口部１２ａ１の下部周縁の裏面側に潜り込んだり、ツマミスライド用開口部１２ａ１の下部周縁の裏面に当接することは任意である。
【００３８】
従って、この施錠装置１によれば、施錠時には、操作ツマミ１１ａの表面がツマミスライド用開口部１２ａ１の中央部側、すなわち図７上、上側が高くなるように斜めに支持されるため、その施錠状態から解錠状態に移行、すなわち図７上、操作ツマミ１１ａを押して上方向に移動させる場合に、操作ツマミ１１ａが傾斜せずに平行な状態にある場合よりも、ユーザの指が操作ツマミ１１ａの表面に引っ掛かり易くなり、子供や高齢者などが使用する場合であっても使用勝手が向上したユニバーサルデザインな戸の施錠装置を提供することができる。
【００３９】
また、この施錠時に、操作ツマミ１１ａを押さずにスライド動作方向の上方向へ外力が加わり、その施錠状態から解錠状態に移行させようとしても、図７（ｂ）に示すように、操作ツマミ本体１１ａ１の左右両側に設けられたスライド動作被案内片１１ａ２の上端部が、施解錠案内部１２ａのスライド案内部１２ａ２の下端部に当接して移動しない。そのため、操作ツマミ１１ａが押されずに単に上方向の力が加わっても、簡単に施錠状態が解除されることを防止できるので、施錠状態を確実に保持することができる。
【００４０】
また、施解錠案内部１２ａの施錠時傾斜支持部１２ａ３は、図７（ａ），（ｂ）に示すように、その傾斜した傾斜案内面が操作ツマミ１１ａの施錠時傾斜被支持片１１ａ６に当接しているが、施錠時傾斜支持部１２ａ３が傾斜案内面を有することで施錠時傾斜被支持片１１ａ６が面ではなく線で当接し、施錠時傾斜被支持片１１ａ６が、施錠時傾斜支持部１２ａ３に当接し始めてから図７（ａ），（ｂ）の位置に達するまで移動する際の摩擦抵抗を減らしている。そのため、操作ツマミ１１ａを施錠位置へ向けてスライド動作する場合は、操作ツマミ１１ａを確実に施錠位置に案内することができ、この点でも、子供や高齢者などが使用する場合であっても使用勝手が向上したユニバーサルデザインな戸の施錠装置１を提供することができる。
【００４１】
また、この施錠装置１では、操作ツマミ１１ａが施錠状態にある場合、スライド部１１の操作ツマミ支持部１１ｃの下端部に設けられた緑色等によりこの施錠装置１が施錠状態にあることを示すインジケータ１１ｃ４が、案内機構部１２の施解錠案内部１２ａの下端部に設けられた報知用開口部１２ａ５の位置にくるので、ユーザは、報知用開口部１２ａ５に現れたインジケータ１１ｃ４の緑色等によりこの施錠装置１が施錠（ロック）状態にあることを認識できる。その結果、この点でも、子供や高齢者などが使用する場合であっても使用勝手が向上したユニバーサルデザインな戸の施錠装置１を提供することができる。
【００４２】
図８（ａ），（ｂ）は、操作ツマミ１１ａがスライド状態（位置）にある場合の施錠装置１の正面図、断面図である。
【００４３】
図８（ａ），（ｂ）に示すように、操作ツマミ１１ａが施錠状態と解錠状態との間を移行するスライド状態にある場合、すなわち図８（ａ），（ｂ）上、ツマミスライド用開口部１２ａ１の中央に位置する場合には、操作ツマミ本体１１ａ１の左右両側に設けられたスライド動作被案内片１１ａ２がスライド動作案内部１２ａ２に当接して案内される。そのため、操作部１１ａ３は、図８（ａ），（ｂ）に示すように、低位置に引き込んだ状態となる。
【００４４】
図９（ａ），（ｂ）は、操作ツマミ１１ａが解錠状態にある場合の施錠装置１の正面図、断面図である。
【００４５】
図９（ａ），（ｂ）に示すように、操作ツマミ１１ａが解錠状態にある場合、すなわち図９（ａ），（ｂ）上、ツマミスライド用開口部１２ａ１の上側に位置する場合には、操作ツマミ支持部１１ｃ、連結部材１１ｄおよびストッパ支持部１１ｅの下側に取り付けられたストッパ１１ｆ（図７参照。）が、下枠３１に設けられたストッパ穴から飛び出す。そのため、この施錠装置１が取り付けられた雨戸２は、解錠され、下枠３１上を移動できる。
【００４６】
その解錠状態の際、図９（ａ），（ｂ）に示すように、操作ツマミ１１ａのスライド動作被案内片１１ａ２は、スライド動作案内部１２ａ２と解錠時傾斜支持部１２ａ４との間に位置してツマミスライド用開口部１２ａ１の周縁裏面に当接する。また、左右のスライド動作案内部１２ａ２の間を通り抜けた施錠時傾斜被支持片１１ａ６もツマミスライド用開口部１２ａ１の周縁裏面に当接する。これに対し、操作ツマミ１１ａの解錠時傾斜被支持片１１ａ８は、図９（ａ），（ｂ）に示すように、施解錠案内部１２ａの解錠時傾斜支持部１２ａ４に当接して支持および案内される。
【００４７】
その結果、操作ツマミ１１ａは、図９（ｂ）に示すように、施解錠案内部１２ａによってツマミスライド用開口部１２ａ１の中央部側、すなわち図上、下側が高くなるように斜めに支持される。この際、操作ツマミ１１ａの解錠時傾斜状態保持面１１ａ７がツマミスライド用開口部１２ａ１の上部周縁の裏面側に潜り込み、場合によっては、ツマミスライド用開口部１２ａ１の上部周縁の裏面に当接する。なお、本発明では、操作ツマミ１１ａに解錠時傾斜状態保持面１１ａ７を設けることは必須でないので、解錠時に操作ツマミ１１ａの解錠時傾斜状態保持面１１ａ７がツマミスライド用開口部１２ａ１の上部周縁の裏面側に潜り込んだり、ツマミスライド用開口部１２ａ１の上部周縁の裏面に当接することは任意である。
【００４８】
従って、この施錠装置１によれば、解錠時にも、操作ツマミ１１ａの表面がツマミスライド用開口部１２ａ１の中央部側、すなわち図９上、下側が高くなるように斜めに支持されるため、その解錠状態から施錠状態に移行、すなわち図９上、操作ツマミ１１ａを押して下方向に移動させる場合に、操作ツマミ１１ａが傾斜せずに平行な状態にある場合よりも、ユーザの指が操作ツマミ１１ａの表面に引っ掛かり易くなり、子供や高齢者などが使用する場合であっても使用勝手が向上したユニバーサルデザインな戸の施錠装置を提供することができる。
【００４９】
また、この解錠時に、操作ツマミ１１ａを押さずにスライド動作方向に外力が加わり、その解錠状態から施錠状態に移行させようとしても、図９（ｂ）に示すように、操作ツマミ本体１１ａ１の左右両側に設けられたスライド動作被案内片１１ａ２の下端部が、施解錠案内部１２ａのスライド案内部１２ａ２の上端部に当接して移動しない。そのため、操作ツマミ１１ａが押されずに単に下方向の力が加わっても、簡単に解錠状態が解除されることを防止できるので、解錠状態を確実に保持することができる。
【００５０】
また、施解錠案内部１２ａの解錠時傾斜支持部１２ａ４は、図９（ａ），（ｂ）に示すように、その傾斜した傾斜案内面が操作ツマミ１１ａの解錠時傾斜被支持片１１ａ８に当接しているが、解錠時傾斜支持部１２ａ４が傾斜案内面を有することで解錠時傾斜被支持片１１ａ８が面ではなく線で当接し、解錠時傾斜被支持片１１ａ８が、解錠時傾斜支持部１２ａ４に当接し始めてから図９（ａ），（ｂ）の位置に達するまで移動する際の摩擦抵抗を減らしている。そのため、操作ツマミ１１ａを解錠位置へ向けてスライド動作する場合は、操作ツマミ１１ａを確実に解錠位置に案内することができ、この点でも、子供や高齢者などが使用．０する場合であっても使用勝手を向上させたユニバーサルデザインな戸の施錠装置１を提供することができる。
【００５１】
また、この施錠装置１では、操作ツマミ１１ａが解錠状態にある場合、スライド部１１の操作ツマミ支持部１１ｃの下端部に設けられたインジケータ１１ｃ４は、案内機構部１２の施解錠案内部１２ａに隠れ、報知用開口部１２ａ５からは見えない。そのため、ユーザは解錠状態にあることを認識できる。
【００５２】
また、本実施形態の施錠装置１では、スライド部１１を構成する操作ツマミ支持部１１ｃや、連結部材１１ｄ、ストッパ支持部１１ｅ、ストッパ１１ｆをそれぞれ別部材で構成しており、それらを結合（連結）して使用するようにしているため、この施錠装置１を高さの異なる雨戸２に使用したり、異なる形状の他の下枠や上枠３２への施解錠等に使用したり、さらには召合せ框２１や召合せ框２１以外の縦框２４への設置高さを変更する場合でも、操作ツマミ支持部１１ｃやストッパ支持部１１ｅはそのまま共通のものを使用し、連結部材１１ｄやストッパ１１ｆの長さ等を変更するだけで済むので、部品点数や在庫点数を減らすことができる。
【００５３】
なお、上記実施形態の説明では、本発明に係る戸の施錠装置１を、１本の上枠３２と下枠３１との間で移動する複数枚の雨戸２，…のうち、戸袋３３側の雨戸２の召合せ框２１に２つ設けて説明したが、本発明では、このような引き戸式の雨戸２に限らず、引き込み戸、両開き戸などの雨戸にも適用可能であり、また、雨戸以外の戸にも適用可能であり、さらには、召合せ框２１に下枠３１用か上枠３２用のどちらか１つだけ設けても良いし、召合せ框２１以外の縦框２４に１または２つ設けるようにしても勿論良い。
【符号の説明】
【００５４】
１…戸の施錠装置
１１…スライド部
１１ａ…操作ツマミ
１１ａ１…操作ツマミ本体
１１ａ２…スライド動作被案内片
１１ａ３…操作部
１１ａ４…スプリング収容部
１１ａ５…施錠時傾斜状態保持面
１１ａ６…施錠時傾斜被支持片
１１ａ７…解錠時傾斜状態保持面
１１ａ８…解錠時傾斜被支持片
１１ｂ…スプリング（弾性部材）
１１ｃ…操作ツマミ支持部
１１ｃ４…インジケータ
１１ｄ…連結部材
１１ｅ…ストッパ支持部
１１ｆ…ストッパ
１２…案内機構部
１２ａ…施解錠案内部
１２ａ１…ツマミスライド用開口部
１２ａ２…スライド動作案内部
１２ａ３…施錠時傾斜支持部
１２ａ４…解錠時傾斜支持部
１２ａ５…報知用開口部
１２ｂ…後側蓋部
１２ｃ…上側蓋部
２…雨戸
２１…召合せ框
２２…上パネル
２３…下パネル
２４…縦框
２５…上框
２６…横桟
２７…下框
３１…下枠
３２…上枠
３３…戸袋
【図１】
0006027322.tif 000002
【図２】
0006027322.tif 000003
【図３】
0006027322.tif 000004
【図４】
0006027322.tif 000005
【図５】
0006027322.tif 000006
【図６】
0006027322.tif 000007
【図７】
0006027322.tif 000008
【図８】
0006027322.tif 000009
【図９】
0006027322.tif 000010